(57)【特許請求の範囲】
【請求項１】
コンデンサマイクユニット、同コンデンサマイクユニットから出力される音声信号を所定に増幅する音声増幅回路およびコネクタを介してファントム電源に着脱自在に接続される電源回路を含む音声出力部と、上記音声増幅回路の出力をオンオフする手動式のマイクスイッチおよび同マイクスイッチのオンオフに伴って点滅する表示ランプを含む制御部とを備えてなるファントム給電方式によるマイクロホンにおいて、
上記制御部には、上記電源回路の上記ファントム電源への接続時に、上記電源回路から電源を得て上記表示ランプを点灯させる点灯回路と、上記表示ランプが点灯してから所定時間後に上記表示ランプを消灯させるとともに、上記音声増幅回路の出力をオフに設定する消灯回路とが設けられていることを特徴とするマイクロホン。
【請求項２】
上記点灯回路および上記消灯回路が、それぞれ上記電源回路に接続された所定の時定数を異にする積分回路からなる請求項１に記載のマイクロホン。
【発明の詳細な説明】
【０００１】
【発明の属する技術分野】
本発明は、ファントム給電方式によるマイクロホンに関し、さらに詳しく言えば、マイクロホンをファントム電源に接続する初期セッティング時に、その接続確認（動作確認）を容易に行うことができるマイクロホンの接続確認技術に関するものである。
【０００２】
【従来の技術】
マイクロホンを大別すると、ダイナミックマイクロホンとコンデンサマイクロホンに分類され、ダイナミックマイクロホンは電源を必要としない反面、外観的には大型化してしまい、会議場などでマイクロホンを目立たないようにセッティングしたい場合には適切ではない。
【０００３】
一方、コンデンサマイクロホンは、別途に駆動電源を必要とするが、外観的には小型化が可能であり、マイクロホンを目立たないようにセッティングしたい場合には好適である。このような特長を活かして、コンデンサマイクロホンは、小型のマイクロホンが多数必要とされるような会議場などで多く利用されている。
【０００４】
会議用マイクロホンは、電源ラインを音声信号の信号ラインとして利用できるファントム給電方式が主流となっており、各机にはファントム電源の給電ソケットが設けられており、そこにマイクロホンをセッティングして使用する。
【０００５】
ファントム給電方式の場合、マイクロホンには電源スイッチに代えて音声出力をオンオフするマイクスイッチと、機種によってはその切換に伴って点灯、消灯する発光ダイオードなどの表示ランプが設けられている。
【０００６】
マイクスイッチは手動式であり、発言したい時にマイクスイッチをオンにする。このとき表示ランプが点灯する。発言しないときにはマイクスイッチをオフにする。このとき表示ランプは消灯する。
【０００７】
会議用マイクロホンには、セッティング方式として、固定式と着脱方式とがあるが、いずれにしてもセット時にファントム電源との接続状態を確認する必要がある。
【０００８】
その確認のため、従来では、マイクロホンを机上の給電ソケットに差し込んだ後に、マイクスイッチをオンにして、そのマイクユニットに何らかの音を入れてマイクロホンの動作を確認するようにしている。
【０００９】
【発明が解決しようとする課題】
しかしながら、この動作確認作業は意外と面倒であり、セッティング数が多くなると負担になる。特に、会議のたびにセッティングする着脱式のマイクロホンでは、この動作確認のために多くの時間を要することになる。そればかりでなく、動作確認後、マイクスイッチをオフにし忘れてしまう場合もある。
【００１０】
本発明は、上記課題を解決するためになされたものであり、その目的は、会議施設などにおいて、マイクロホンセッティング時の動作確認をマイクスイッチを操作することなく行えるようにしたマイクロホンを提供することにある。
【００１１】
【課題を解決するための手段】
上記の目的を達成するために、本発明は、コンデンサマイクユニット、同コンデンサマイクユニットから出力される音声信号を所定に増幅する音声増幅回路およびコネクタを介してファントム電源に着脱自在に接続される電源回路を含む音声出力部と、上記音声増幅回路の出力をオンオフする手動式のマイクスイッチおよび同マイクスイッチのオンオフに伴って点滅する表示ランプを含む制御部とを備えてなるファントム給電方式によるマイクロホンにおいて、上記制御部には、上記電源回路の上記ファントム電源への接続時に、上記電源回路から電源を得て上記表示ランプを点灯させる点灯回路と、上記表示ランプが点灯してから所定時間後に上記表示ランプを消灯させるとともに、上記音声増幅回路の出力をオフに設定する消灯回路とが設けられていることを特徴としている。
【００１２】
この構成によれば、マイクロホンをファントム電源に接続すると、その接続が正常であれば、自動的に表示ランプが点灯するため、それを見るだけで動作確認を行うことができる。また、点灯後の所定時間後に表示ランプが消灯し、かつ、音声増幅回路がオフとなるため、従来のようにマイクスイッチの切り忘れの問題もない。
【００１３】
本発明において、上記点灯回路および上記消灯回路は、それぞれ上記電源回路に接続された時定数を異にする積分回路からなることが好ましく、これによれば、各積分回路の時定数によって表示ランプの点灯時間を制御することができる。
【００１４】
【発明の実施の形態】
次に、図１を参照して、本発明の実施形態について説明する。このマイクロホンは、大きく分けて音声出力部１０と制御部２０とを備えているが、本発明において、音声出力部１０は一般的な構成であってよいため、その説明は簡略にとどめる。
【００１５】
音声出力部１０は、コンデンサマイクユニット１１と、このマイクユニット１１から音声信号を取り出すＦＥＴからなるインピーダンス変換器１２と、上記音声信号を増幅する第１および第２の２つの音声増幅回路１３，１４と、電源回路１５とを備えている。
【００１６】
この場合、電源回路１５には、コネクタ１５１、トランス１５２および電源安定化回路１５３が設けられている。コネクタ１５１は、接地端子ピン１、ホット側端子ピン２およびコールド側端子ピン３の３つの端子ピンを有し、図示しないファントム電源の給電ソケットに対して着脱自在に接続される。
【００１７】
ホット側端子ピン２とコールド側端子ピン３は、トランス１５２の２次側に接続されている。トランス１５２の２次側のセンタータップから定電流ダイオード１６１，１６２を含む電源ライン１６が引き出されており、この電源ライン１６を介して音声増幅回路１３，１４およびインピーダンス変換器１２に所定の駆動電流が供給される。なお、電源安定化回路１５３は、ツェナーダイオードとコンデンサの並列回路からなる。
【００１８】
この実施形態において、第１音声増幅回路１３はＰＮＰトランジスタＱ１を備え、第２音声増幅回路１４はＮＰＮトランジスタＱ２を備えている。ＰＮＰトランジスタＱ１のエミッタは、カップリングコンデンサＣ１を介してＮＰＮトランジスタＱ２のベースに接続されている。
【００１９】
これにより、インピーダンス変換器１２からの音声信号は、第１音声増幅回路１３にて増幅された後、さらに第２音声増幅回路１４にて増幅され、そのＮＰＮトランジスタＱ２のエミッタ側よりカップリングコンデンサＣ２を介してトランス１５２の１次側に供給される。なお、トランス１５２の１次側の他端は接地端子ピン１に接続されている。
【００２０】
制御部２０は、音声出力部１０における音声信号の出力をオンオフするマイクスイッチ２１と、表示ランプとしての発光ダイオード２２と、音声信号出力制御スイッチ２３とを含み、マイクスイッチ２１のオンオフに連動して、表示ランプ２２が点灯・消灯するとともに、音声信号出力制御スイッチ２３が切り換えられる。
【００２１】
マイクスイッチ２１は、音声出力部１０の電源ライン１６と接地電極２０ａとの間に接続されており、この実施形態において、マイクスイッチ２１には常開式のスイッチが用いられている。
【００２２】
この場合、マイクスイッチ２１と電源ライン１６との間には、抵抗ＲＡが介装され、また、電源ライン１６と接地電極２０ａとの間には、コンデンサＣＡがマイクスイッチ２１に対して並列に接続されている。この抵抗ＲＡとコンデンサＣＡとにより第１積分回路が構成されている。
【００２３】
発光ダイオード２２も、電源ライン１６と接地電極２０ａとの間に接続されるが、発光ダイオード２２のアノード側と電源ライン１６との間には、抵抗ＲＢと定電流ダイオード２２１の直列回路が設けられているとともに、抵抗ＲＢと定電流ダイオード２２１との接続点と接地電極２０ａとの間には、発光ダイオード２２に対して並列にコンデンサＣＢが接続されている。この抵抗ＲＢとコンデンサＣＢとにより第２積分回路が構成されている。
【００２４】
また、発光ダイオード２２と定電流ダイオード２２１の接続点と接地電極２０ａとの間には、発光ダイオード２２の点灯制御スイッチ２４が設けられている。この実施形態において、点灯制御スイッチ２４はＭＯＳ−ＦＥＴよりなり、以下、この点灯制御スイッチをＭＯＳ−ＦＥＴ２４とする。なお、ＭＯＳ−ＦＥＴ２４のソース端子は接地電極２０ａに接続され、ドレイン端子と発光ダイオード２２との間には抵抗Ｒ５が設けられている。
【００２５】
音声信号出力制御スイッチ２３の一端は、カップリングコンデンサＣ３を介して第２音声増幅回路１４が有するトランジスタＱ２のベースに接続され、その他端は接地電極２０ａに接続されている。この実施形態において、音声信号出力制御スイッチ２３はＭＯＳ−ＦＥＴよりなり、以下、この音声信号出力制御スイッチをＭＯＳ−ＦＥＴ２３とする。
【００２６】
マイクスイッチ２１の電源ライン１６側には、同マイクスイッチ２１のオンオフに伴なって「Ｈ」もしくは「Ｌ」のパルス信号を出力するパルス信号出力回路としてのシュミットトリガ回路２５が接続されている。この場合、シュミットトリガ回路２５の入力端子側には、抵抗Ｒ３，Ｒ４およびコンデンサＣ４からなるチャタリング防止回路が設けられている。
【００２７】
また、電源ライン１６と接地電極２０ａとの間には、シュミットトリガ回路２５の出力パルスを受けて動作するダイナミックフリップフロップ回路２６が設けられている（以下、単にフリップフロップ回路という）。
【００２８】
この実施形態において、フリップフロップ回路２６のプリセット端子ＰＲおよびクリア端子ＣＬＲはともに電源ライン１６に接続されており、クロック端子ＣＫにシュミットトリガ回路２５の出力パルスを受けてオルタネート動作する。
【００２９】
フリップフロップ回路２６のＱバー端子から、上記ＭＯＳ−ＦＥＴ２３，２４の各ゲートに対してスイッチ切換信号が出力される。なお、ＭＯＳ−ＦＥＴ２３，２４の各ゲート側には、スイッチ切換信号のオンオフ時に発生する雑音成分を低減させるＲＣからなる積分回路が設けられている。
【００３０】
次に、本発明の動作について説明する。なお、このマイクロホンは会議用であり、図示されていないが、会議場の各机にはファントム電源の給電ソケットが設置されているものとする。
【００３１】
また、ファントム電源の電源電圧が例えばＤＣ１２Ｖであるとして、このマイクロホンのコネクタ１５１をファントム電源の給電ソケットに差し込んでから、第１積分回路（ＲＡ，ＣＡ）が１２Ｖにまで達する時間をＴ１時間、第２積分回路（ＲＢ，ＣＢ）が同じく１２Ｖにまで達する時間をＴ２時間とすると、本発明ではＴ１＞Ｔ２となるように、各積分回路の時定数が決められている。
【００３２】
マイクロホンのコネクタ１５１をファントム電源の給電ソケットに差し込んでマイクをセッティングすると、電源ライン１６にはＤＣ１２Ｖが現れるが、発光ダイオード２２には第２積分回路（ＲＢ，ＣＢ）を介して電圧が印加される。このとき、フリップフロップ回路２６のＱバー端子の出力は「Ｌ」に初期設定されているため、ＭＯＳ−ＦＥＴ２３，２４はともにオフに維持されている。
【００３３】
マイクセッティングによる電源投入時からＴ２時間が経過して、第２積分回路（ＲＢ，ＣＢ）が所定電圧（この例では１２Ｖ）に達すると、発光ダイオード２２に駆動電流が流れ発光ダイオード２２が点灯する。
【００３４】
そして、マイクセッティングによる電源投入時からＴ１時間が経過すると、第１積分回路（ＲＡ，ＣＡ）によりシュミットトリガ回路２５およびフリップフロップ回路２６に１２Ｖの動作電源が与えられ、フリップフロップ回路２６のＱバー出力が「Ｈ」になる。
【００３５】
これにより、ＭＯＳ−ＦＥＴ２４がオンとなり、発光ダイオード２２に流れていた電流は抵抗Ｒ５およびＭＯＳ−ＦＥＴ２４を介して接地電極２０ａに流れ、発光ダイオード２２には定電流ダイオード２２１により制限された電流しか流されないため、発光ダイオード２２は消灯する。
【００３６】
これと同時にＭＯＳ−ＦＥＴ２３もオンとなり、第２音声増幅回路１４のトランジスタＱ２のベースが接地電極２０ａに落とされるため、音声出力部１０からの音声出力がオフにされる。
【００３７】
このように、本発明によれば、マイクセッティング時に発光ダイオード２２の点灯をもって動作確認が行うことができる。また、発光ダイオード２２は所定時間後に自動的に消灯するとともに、音声出力部１０からの音声出力もオフとされるため、スイッチ切り忘れなどの問題も生じない。
【００３８】
セッティング後は、通常の操作モードとなる。すなわち、マイクスイッチ２１をオンにすると、シュミットトリガ回路２５の入力が「Ｌ」となり、その出力には一定幅のパルス「Ｈ」が現れ、フリップフロップ回路２６のＣＫ端子に入力される。
【００３９】
これにより、フリップフロップ回路２６のＱバー出力が「Ｈ」から「Ｌ」に転じ、ＭＯＳ−ＦＥＴ２３，２４がともにオフとなり、音声出力がオンになるとともに、発光ダイオード２２が点灯する。
【００４０】
再度、マイクスイッチ２１をオンにすると、フリップフロップ回路２６のＱバー出力が「Ｌ」から「Ｈ」に転じ、ＭＯＳ−ＦＥＴ２３，２４がともにオンとなり、音声出力がオフになるとともに、発光ダイオード２２が消灯する。
【００４１】
上記実施形態では、マイクスイッチのオンオフによってオルタネート動作する制御回路としてシュミットトリガ回路とフリップフロップ回路を用いているが、本発明はこれに限定されず、マイクスイッチのオンオフに伴なって出力が「Ｈ」もしくは「Ｌ」に反転する回路であれば、いずれのものでも採用可能である。また、発光ダイオードおよび音声出力の切換スイッチも、ＭＯＳ−ＦＥＴに限定されるものではない。
【００４２】
【発明の効果】
以上説明したように、本発明によれば、コンデンサマイクユニット、音声増幅回路およびファントム電源に着脱自在に接続される電源回路を含む音声出力部と、音声増幅回路の出力をオンオフする手動式のマイクスイッチおよび同マイクスイッチのオンオフに伴って点滅する表示ランプを含む制御部とを備えてなるファントム給電方式によるマイクロホンにおいて、電源回路のファントム電源への接続時に、電源回路から電源を得て表示ランプを点灯させる点灯回路と、表示ランプが点灯してから所定時間後に表示ランプを消灯させるとともに、音声増幅回路の出力をオフに設定する消灯回路とを備えていることにより、会議施設などでマイクロホンをセッティングする際、その動作確認を表示ランプの点灯をもって行うことができ、また、所定時間後に表示ランプが自動的に消灯するとともに、音声出力もオフとされるため、スイッチ切り忘れなどの問題も生じない。
【図面の簡単な説明】
【図１】本発明の実施形態に係るコンデンサマイクロホンの回路図。
【符号の説明】
１０  音声出力部
１１  コンデンサマイクユニット
１２  インピーダンス変換器
１３，１４  音声増幅回路
１５  電源回路
１６  電源ライン
２０  制御回路
２１  マイクスイッチ
２２  発光ダイオード（表示ランプ）
２３，２４  ＭＯＳ−ＦＥＴ
２５  シュミットトリガ回路（パルス信号出力回路）
２６  フリップフロップ回路
ＣＡ，ＲＡ  第１積分回路
ＣＢ，ＲＢ  第２積分回路
【図１】
0004528465.tif 000002